(57)【要約】  本発明は器具に関し、より具体的には、野球、ソフトボール、ゴルフ、テニス、およびその精度や動く物体に対する反応を向上させる場合の腕のスイング、足の位置やフォロースルー、体の位置などの正確性の制御を必要とする他のスポーツの分野でのスポーツトレーニングに用いられるものに関する。この概念で重要なのは、この装置を用いる場合、向上した筋肉制御に関連する回転軸点の位置または「動きの中心」である。抵抗バンドを手首に取り付けることにより、向上したパフォーマンスに関連する正しい制御および筋肉の発達が達成される。【選択図】図１
2010536480.tif 000002
【特許請求の範囲】
【請求項１】
スポーツトレーニングベルトであって：
使用者のウエスト周りに巻き付けるよう構成される織物の第１のバンドであって；前記第１のバンドが第１の端部と、第２の端部と、内側面と、外側面と、上縁部と、下縁部とを有し；前記バンドが、本質的に方形の形状を有する第１のバンドと；
第１および第２のファスナ部材を具える第１の対のファスナであって；前記第１のファスナ部材が、前記バンドの第１の端部に取り付けられ、前記第２のファスナ部材が、前記バンドの第２の端部に取り付けられ、これにより前記第１のバンドの第１の端部と前記第２のバンドの第２の端部とが、互いに取り外し可能に固定できる第１の対のファスナと；
前記第１のバンドの上縁部に取り付けられた第１のリストストラップファスナ対の第１の部材と第２のリストストラップファスナ対の第１の部材とであって；前記第１および第２のリストストラップファスナ対の部材が、前記第１のバンドの中央から略等距離離れている第１の部材と；
前記第１のバンドの下縁部に取り付けられた第１および第２のフットストラップファスナ対の第１の部材であって；前記第１および第２のフットストラップ対の部材が前記第１のバンドの中央から略等距離離れている第１の部材と；
各々が第１の端部と第２の端部とを有する弾性部材を具える一対のリストストラップであって、前記各リストストラップの第１の端部が、前記第１のバンドの上縁部に取り付けられるいずれかのリストストラップファスナの第１の部材のいずれかに取り外し固定可能に適合するリストストラップファスナの第２の部材を有し；各リストストラップの第２の端部が、使用者の手首に前記各リストストラップの第２の端部を固定するための調節可能なループを有する一対のリストストラップと；
各々が第１の端部と第２の端部とを有する弾性部材を具える一対のフットストラップであって、前記各フットストラップの第１の端部が、前記第１のバンドの下縁部に取り付けられる前記第１および第２のフットストラップファスナの第１の部材のいずれかに取り外し固定可能に適合するフットストラップファスナの第２の部材を有し；前記各フットストラップの第２の端部が、使用者の足に前記各フットストラップの第２の端部を固定するために適合される一対のフットストラップと；を含むことを特徴とするスポーツトレーニングベルト。
【請求項２】
請求項１に記載のスポーツトレーニングベルトがさらに、前記第１のバンドの上縁部に取り付けられる第３のリストストラップファスナ対の第１の部材と、第４のリストストラップファスナ対の第１の部材とを具え；前記第３および第４のリストストラップファスナ対の部材が、前記第１のバンドの中央から略等距離離れており、前記第１のリストストラップファスナの第１の部材の近くであって、前記第２のリストストラップファスナの第１の部材の近くに位置することを特徴とするスポーツトレーニングベルト。
【請求項３】
請求項２に記載のスポーツトレーニングベルトがさらに、使用者のウエスト周りに巻き付けられるよう構成される伸縮性織物の第２のバンドとを具え；前記第２のバンドが、第１の端部と、第２の端部と、内側面と、外側面とを有し；前記第２のバンドが、実質的に方形の形状を有し；前記第２のバンドが、当該第２のバンドの内側面と前記第１のバンドの外側面とが互いに向き合うような取付ポイントで前記第１のバンドにしっかりと取り付けられ；前記第２のバンドの第１の端部が、前記第１のバンドの第１の端部に取り外し可能に取り付けられ、前記第２のバンドの第２の端部が、前記第１のバンドの第２の端部に取り外し可能に取り付けられることを特徴とするスポーツトレーニングベルト。
【請求項４】
請求項３に記載のスポーツトレーニングベルトにおいて、前記取付ポイントが、前記第１のバンドの略中央と、前記第２のバンドの略中央とであることを特徴とするスポーツトレーニングベルト。
【請求項５】
請求項１に記載のスポーツトレーニングベルトにおいて、前記各々のフットストラップの第２の端部が、各足の甲およびかかとに固定されるよう適合することを特徴とするスポーツトレーニングベルト。
【請求項６】
請求項１に記載のスポーツトレーニングベルトがさらに、前記第１のバンドに取り付けられる１以上の補強材を含むことを特徴とするスポーツトレーニングベルト。
【請求項７】
請求項６に記載のスポーツトレーニングベルトにおいて、前記補強材が、前記第１のバンドの長い寸法方向にほぼ垂直に配置されていることを特徴とするスポーツトレーニングベルト。
【請求項８】
請求項７に記載のスポーツトレーニングベルトにおいて、前記１以上の補強材は、いずれかのリストストラップファスナの前記第１の端部に整列するよう配置されることを特徴とするスポーツトレーニングベルト。
【請求項９】
請求項１に記載のスポーツトレーニングベルトにおいて、前記各リストストラップの弾性部材は約５乃至１２インチの長さを有することを特徴とするスポーツトレーニングベルト。
【請求項１０】
請求項９に記載のスポーツトレーニングベルトにおいて、前記各リストストラップの弾性部材は約７乃至１０インチの長さを有することを特徴とするスポーツトレーニングベルト。
【請求項１１】
請求項１に記載のスポーツトレーニングベルトにおいて、前記各フットストラップの弾性部材は約７乃至３５インチの長さを有することを特徴とするスポーツトレーニングベルト。
【請求項１２】
請求項１１に記載のスポーツトレーニングベルトにおいて、前記各フットストラップの弾性部材は約１０乃至３０インチの長さを有することを特徴とするスポーツトレーニングベルト。
【請求項１３】
請求項１に記載のスポーツトレーニングベルトにおいて、前記各リストストラップの弾性部材は約５乃至１２インチの長さを有することを特徴とするスポーツトレーニングベルト。
【請求項１４】
請求項１３に記載のスポーツトレーニングベルトにおいて、前記各リストストラップの弾性部材は約７乃至１０インチの長さを有することを特徴とするスポーツトレーニングベルト。
【請求項１５】
請求項１１に記載のスポーツトレーニングベルトにおいて、前記各フットストラップの各弾性部材は約１／８乃至５／１６インチの直径を有することを特徴とするスポーツトレーニングベルト。
【請求項１６】
請求項１３に記載のスポーツトレーニングベルトにおいて、前記各リストストラップの各弾性部材は約１／８乃至５／１６インチの直径を有することを特徴とするスポーツトレーニングベルト。
【発明の詳細な説明】
【技術分野】
【０００１】
[関連出願の相互参照]
本出願は、２００７年８月２２日提出の暫定出願６０／９６５，９４９の利益を主張するものであり、これは３５ＵＳＣ１１９条（ｅ）の下に完全に参照によりここに組み込まれる。
（ｃ）連邦政府資金による研究または開発に関する声明
適用なし
（ｄ）共同研究誓約書の当事者名
適用なし
（ｅ）コンパクトディスクで提出されたマテリアルの参照による組込
適用なし
（ｆ）発明の背景
【背景技術】
【０００２】
本発明は器具に関し、より具体的には、野球、ソフトボール、ゴルフ、テニス、およびその精度や動く物体に対する反応を向上させる場合の腕のスイング、足の位置やフォロースルー、体の位置などの正確性の制御を必要とする他のスポーツで用いられるものに関する。
【０００３】
１８９２年の昔から（ＵＳＰＮ４７５，４３２  Ｗ  Ｃ  Ｂｌａｄｅｓ）、開発者らは、スポーツの多様な態様における制御を得るべく野球選手を補助する器具に焦点を当ててきた。この最初の器具は、投球を開発したものであって、腕への緊張を軽減することにより野球の投球において、とりわけ制御を向上させるべく設計された。１９０５年に、最初のゴルフ補助具が発明され（ＵＳＰＮ８０２，６２３  ＷＣ  Ｃａｍｐ）、これはボールが打ち出される際、ひじの曲げを制限するものである。この動きを制限することにより、ボールの方向、およびボールの背後の力は大幅に向上することがクレームされている。
【０００４】
現在有効な特許は、野球やゴルフのパフォーマンスを向上させるために、どのようにトレーニング補助具を提供すべきかについていくつかの異なる概念を含む。これらのアイデアのほとんどは、これら２つのスポーツに限定される。いくつかの例としては、腕の動きを制限するトレーニング器具（ＵＳＰＮ５，１１４，１４２  Ｇ  Ａ  Ｇｉｌｅｓｐｉｅ）（ＵＳＰＮ６，５１４，１６３  Ｋ  Ｃ  Ｂｕｒｎｓ）、頭部の調整および連結部の調整（ＵＳＰＮ５，１７４，５６４  Ｊ  Ｈ  Ｙｏｕｎｇ）（ＵＳＰＮ５，７４６，６６３  Ｍ  Ａ  Ｃａｌａｃｅ）、腕や手を調整する器具（ＵＳＰＮ６，２３１，４６４  Ｋ  Ｄ  Ｃｕｒｔｉｓ）（ＵＳＰＮ７，１２８，６５８  Ｄ  Ａ  ＤｕＦｏｕｒ）、および腕から腕への動きを連動させる器具（ＵＳＰＮ５，９３８，５４８  Ｗ  Ｕｐｓｈａｗ）（ＵＳＰＮ６，７７３，３６６  Ｊ  Ｄ  Ｇｒａｙ）（ＵＳＰＮ６，８２７，６５４  Ｉ  Ｍｅｙｅｒ）（ＵＳＰＮ６，９８４，１８４  Ｊ  Ｄ  Ｇｒａｙ）、または腕から足の動きを連動させる器具（ＵＳＰＮ５，７０４，８５６  Ｂ  Ａ  Ｍｏｒｓｅ）がある。
【０００５】
これらの単純な器具に加えて、より複雑な機械要素として、手と目の協調を高めるもの（５，９５４，５９８  Ｊ  Ｗ  Ｃａｒｌｓｏｎ）、足の配置や動き（ＵＳＰＮ５，９７６，０２６  Ｇ  Ａ  Ｅｒｂ）、スイングの品質の測定（ＵＳＰＮ６，７９３，５８５  Ｍ  Ｍ  Ｋａｎａｇａｗａ）（ＵＳＰＮ７，１３１，９１６  Ｔ  Ｇｒｉｆｆｉｎ）、および体力増強用の抵抗トレーニングの提供（ＵＳＰＡ１０／８９２，１９６）がある。
【０００６】
他の器具としては、エルボーブレース（ＵＳＰＮ６，３２２，４６２  Ｔ  Ｊ  Ｋａｆｅｒ）、ゴルフクラブか野球バットのスイング動作を検知するのに用いる器具（ＵＳＰＮ５，５９１，０８９  Ｒ  Ｗ  Ｈｕｆｆｉｎｅｓ）、正しいスイングの完成を判定する可聴アラーム付きベスト（ＵＳＰＮ６，３７５，５８１  Ｊ  Ｍ  Ｕｒｂａｎ）、着用者の動きのトリガを示す兆候を提供する器具（ＵＳＰＮ６，９１８，８４４  Ｒ  Ｄ  Ｓｏｃｃｉ）、最後に「少なくともある長さを有し着用者の胴の周囲に延在する伸長部材と・・・前記伸長部材に少しばかり固定されたターゲット部材とを具える」器具（ＵＳＰＮ６，９３２，７２４  Ｒ  Ｄ  Ｓｏｃｃｉ）がある。
【０００７】
例えばバスケットボール用の以下のものなど、他のスポーツに特化した器具がある。練習のショットを放つ際にプレイヤの肘同士を近くに維持する器具（ＵＳＰＮ４，３７７，２８４  Ｊ  Ｏｋｅｒｌｉｎ）；プレイヤが着用するベストであって、プレイヤの腕を所望の経路に案内し、ボールを正しく投げるよう湾曲したガイドバーと、肘の上に着装される弾性スリーブとを具えるベスト（ＵＳＰＮ４，３８３，６８５  Ｌ  Ｅ  Ｂｉｓｈｏｐ）；および「シュートする腕にぴったり滑らないように着装される柔軟で調整可能なリストバンク・・・」（ＵＳＰＮ４，８０５，９０５  Ｇ  Ｈａｕｂ）がある。
【０００８】
バスケットボールに特化して設計されたさらなる器具は、ボールのシュートを改善する腕や手のアタッチメント（ＵＳＰＮ４，９１９，４２５  Ｊ  Ｗ  Ｗｏｌｆ）（ＵＳＰＮ５，１３５，２１７  Ｔ  Ｃ  Ｓｗａｉｎ）（ＵＳＰＮ５，１８８，３５６  Ｇ  Ｈ  Ｆｕｒｒ）（ＵＳＰＮ５，２２８，６８２  Ｊ  Ｗ  Ｗｏｌｆ）（ＵＳＰＮ５，２３６，１９０  Ｇ  Ｋ  Ｍｏｓｓ）（ＵＳＰＮ５，８３３，２３３  Ｓ  Ｓｔｒｕｇ）および（ＵＳＰＮ６，０９５，９３６  Ａ  Ｍ  Ｋｉｒｋｐａｔｒｉｃｋ）を含む。文献における器具は、一方または双方の手の動きを制限して、手や腕を正しいシュートテクニックに「慣れ」させるもの（ＵＳＰＮ５，３２０，３４２  Ｓ  Ｒ  Ｈｏｕｃｋ）（ＵＳＰＮ５，５４４，８７７  Ｎ  Ｇ  Ｂｒｏｗｎｅｌｌ）（ＵＳＰＮ５，８１６，９５２  Ｍ  Ｗ  Ｂｌｅｖｉｎｓ）（ＵＳＰＮ５，９３８，５４７  Ｌ  Ｇ  Ｇｉｌｆｏｒｄ）（ＵＳＰＮ６，２０３，４５３  Ｄ  Ｌ  Ｃｏｄｄｅｎｓ）（ＵＳＰＮ６，２８３，８７７  Ｇ  Ｃｏｏｋ）（ＵＳＰＮ  ６，６４５，０９３  Ｍ  Ｃ  Ｓｈｅｐｐａｒｄ）および（ＵＳＰＮ７，１７２，５２２  Ｃ  Ｄ  Ｈａｒｖｅｙ）を含む。
【０００９】
ボクシングに特化した器具として、「競技者の腕と足を、競技者の胴の近くの解放可能な固定位置に保持するもの」（ＵＳＰＮ５，６８８，１３７  Ｗ  Ｇ  Ｂｕｓｔａｎｃｅ）や、手／手首の安定化器具（ＵＳＰＮ６，０１３，０４４  Ｊ  Ｊ  Ｅｓｔｗａｎｉｋ）がある。
【００１０】
ソフトボールの投球補助具として、臀部と大腿部に装着され、１以上のトレーニングバンドを選択的に取り付けるための複数のファスナを具えるものが開示されている。この器具は、ボール投球時の臀部の回転を制御するのに用いられる（ＵＳＰＮ５，８０３，８８１  Ｗ  Ｊ  Ｍｉｌｌｅｒ）。
【００１１】
テニス用のトレーニング器具の多くは、テニス肘の影響を低減するよう設計される。これらの器具は本発明の範囲に含まれないため、本書では記載しない。テニス肘に関係しないトレーニング器具として、「訓練を受ける者がテニスラケットで打つのを、テニスラケットのヘッドが手首の下の垂直面内でシフトしないよう補助する・・・」器具（ＵＳＰＮ３，９３７，４６５  Ｂ  Ｒｏｌａｎｄ）；正しい手首位置を教示する固定器具（ＵＳＰＮ４，４４５，６８６  Ｊ  Ｃ  Ｄａｕｇｈｅｒｔｙ）（ＵＳＰＮ４，５１９，６０８  Ｐ  Ｅ  Ｇｉｌｌｙ）（ＵＳＰＮ５，４７６，２５７  Ａ  Ｂｏｂｂｙ）；肩を回して体をひねるようプレイヤを訓練するために両腕を一緒に動かすべく手首を連結する器具（ＵＳＰＮ５，００５，８３３  Ｊ  Ｅ  Ｇｒｏｖｅｍａｎ）；およびプレイヤの手首にラケットを連結してプレイヤが手首を折ったり曲げたりしないようにする器具（ＵＳＰＮ５，６１８，０４０  Ｃ  Ｇ  Ｐａｒｔｅｎ）がある。
【００１２】
バレーボールのトレーニング器具として、ウェストバンドとリストストラップが縄で繋がれて、バレーボールのショットに必要なように腕の動きを制限するもの（ＵＳＰＮ５，１６５，６９６  Ｃ  Ｄ  Ｓａｈａ）、およびバレーボールのパスやパス動作における正しい体の位置を教示および訓練する調節可能なストラップのセット（ＵＳＰＮ５，４６０，３８５  Ｄ  Ｌａｚｚｅｒｏｎｉ）がある。
【００１３】
先行技術の説明で明らかなように、ほぼすべてのスポーツにおいて、向上したパフォーマンスの発展のために、良好なトレーニング補助を発達させるべく複数の試みがなされてきた。これらの試みを分析し、各々の制限を理解することにより、どのように首尾良くパフォーマンスを向上させるか、どのように前述の技術が発展してきたかに関して新しい概念の広範な実験と共に、競技者のパフォーマンスを飛躍的に向上させる万能な訓練器具をもたらす劇的な解決を提供する。
【発明の概要】
【００１４】
本発明は、接触時、またはボールや他の物体を動かす際に、力の量や位置を向上させるのに用いられるスポーツトレーニング器具に関する。
【００１５】
力をバット、ラケット、手、または足のいずれに伝えようと、前述のスポーツトレーニング装置は、プレー状態にあるプレイヤの攻撃アイテムに正しい姿勢や動きを提供し、こうして前例のないパフォーマンスを提供する。トレーニング装置を用いて、日に数回繰り返すだけで、プレイヤの筋肉組織を整え、最終的には記憶させ、パフォーマンスをかなり増大させる。
【００１６】
この概念で重要なのは、この装置を用いる場合、向上した筋肉制御に関連する回転軸点の位置または「動きの中心」である。抵抗バンドを手首に取り付けることにより、向上したパフォーマンスに関連する正しい制御と筋肉の発達が達成される。
【００１７】
この装置は、胴の周りに快適にフィットし、調節可能な面ファスナシステムを用いて閉める伸縮性織物でできた幅広のベルトを含む。この面ファスナは、プレイヤの体格の広範囲な変化に適合可能となるよう十分に幅広くて長い。ベルトには、いくつかのサイド解放バックルが取り付けられており、スイングの初め、ボールとの接触、最後にスイングのフォロースルーの完成を通して、リストストラップ、フットストラップ、またはプレイヤのスイングとフォロースルーを制御するのに用いられる他の制御装置との連結が可能となる。
【００１８】
この装着可能な装置は、装置を用いているプレイヤが、それを最大限に活用するために調節可能な長さを有する。これらの装置はまた、調節可能なリストストラップ、フットストラップ、または実施される運動に必要とされるような別のアタッチメントを含む。
【図面の簡単な説明】
【００１９】
一般的な用語を用いて発明を記載してきたが、発明の別のさらなる対象、特徴および利益は、一定の縮尺図ではない図面を参照してなされる以下の詳細な説明より明らかとなる。
【図１】図１は、ベルトの正面側の平面図である。
【図２】図２は、ベルトの組立てにおける第１のステップを示す等角展開図である。
【図３】図３は、ベルトの組立て中に、ストラップ付バックルの配置を示すベルトの等角図である。
【図４】図４は、ベルトの裏面に取り付けられるフック閉塞機構付の伸縮性材料のアセンブリを例示する。
【図５】図５は、補強材と、補強材をベルトにシールするリボン状の材料の配置を示す。
【図６】図６は、ベルトの裏面のポケットのアセンブリを示す。
【図７】図７は、いくつかの「Ｘ」値に基づくベルトの適切な寸法を示す。
【図８】図８は、リストストラップ作成の開始を示し、これによってスムースなリボン状材料の隅部は切り取られる。
【図９】図９は、切り取られたリボン材料の外端は、リストストラップの組立てを開始するため折り曲げられる。
【図１０】図１０は、リストストラップの初期アセンブリの等角図である。
【図１１】図１１は、リストストラップアセンブリへの構成部材の追加を示す。
【図１２】図１２は、リストストラップへの弾性ひものさらなる追加を示す。
【図１３】図１３は、一本のひもに取り付けられる雄型の迅速解放コネクタの追加を終えた、リストストラップの仕上げを示す。
【図１４】図１４は、完成したリストストラップの等角図である。
【図１５】図１５は、雄型の迅速解放コネクタのひも材料への正しい取り付けを示す図である。
【図１６】図１６は、ベルトを使用する際、どのようにリストストラップをプレイヤの手首に取り付けるかのイメージ図である。
【図１７】図１７は、リストストラップを使用する際、プレイヤの手首への最後の閉め付けを示すイメージ図である。
【図１８】図１８は、フットストラップの初期アセンブリの等角図である。
【図１９】図１９は、プレイヤの靴の下に入る追加のストラップを示す。
【図２０】図２０は、図１９で追加されるストラップへのさらなる追加のストラップを示す。
【図２１】図２１は、図１９で取り付けられるストラップの最終配置と固定を示す。
【図２２】図２２は、図２１に示されているＤリングに取り付けられる弾性ストラップの構成を示す。
【図２３】図２３は、最終のフットストラップアセンブリの図である。
【図２４】図２４は、フットストラップがどのように正しくプレイヤの靴に取り付けられるかのイメージ図である。
【図２５】図２５は、プレイヤの靴に正しく組立てされたフットストラップの側面図である。
【図２６】図２６は、ベルト閉塞の正面図であり、これによってベルトの裏面のフック材は正面あたりにきて、ベルト正面のループ材の上で固定される。この取り付けは、ベルト閉塞の最大直径を示す。この取り付けは、正面での閉塞の斜視図を明瞭にすべくベルトの裏面で分離されている。
【図２７】図２７は、ベルト閉塞の最小直径を提供する閉塞を例示するベルトの代替正面図である。
【図２８】図２８は、ベルト閉塞後、伸縮性材料がベルトの正面あたりにきて固定される。この取り付け図は、ベルトの直径が最大直径であるときのベルトの閉塞を示す。
【図２９】図２９は、ベルトの直径が最小であるときの伸縮性材料の閉塞を示す。伸縮性材料は、ベルト閉塞の中間点で閉じていることに留意されたい。
【図３０】図３０は、ベルトにリストストラップとフットストラップとを連結する際、示されている構成は、左利き打者、テニスプレイヤ、またはゴルファ用である。
【図３１】図３１は、ベルトにリストストラップとフットストラップとを連結する際、示されている構成は、右利き打者、テニスプレイヤ、またはゴルファ用である。
【図３２】図３２は、ベルトにリストストラップとフットストラップとを連結する際、示されている構成は、左利き投手用である。
【図３３】図３３は、ベルトにリストストラップとフットストラップとを連結する際、示されている構成は、右利き投手用である。
【図３４】図３４は、ベルトにリストストラップとフットストラップとを連結する際、示されている構成は、左利き野手用である。
【図３５】図３５は、ベルトにリストストラップとフットストラップとを連結する際、示されている構成は、右利き野手用である。
【図３６】図３６は、リストストラップが取り付けられ、腕が投球を待つ「ハンドスロット」へと後ろにまわされた野球選手を示す。
【図３７】図３７は、回転または旋回位置を示す。
【図３８】図３８は、「接触」位置に向かって前方にスイングする打者を示す。
【図３９】図３９は、ボールと接触後、「伸長」位置にフォロースルーする打者を示す。
【図４０】図４０は、最後にバットを肩の上で止めて「フォロースルー」にもっていく打者を示す。
【図４１】図４１は、打撃練習中、フットストラップがどのように用いられるかとハンドスロットを示す。
【図４２】図４２は、旋回位置で見られるフットストラップを示す。
【図４３】図４３は、接触中に見られるフットストラップを示す。
【図４４】図４４は、伸長中のフットストラップを示す。
【図４５】図４５は、フォロースルーでのフットストラップを示す。
【図４６】図４６は、「セットアップ」位置で一連の動作を開始する投手を示す。
【図４７】図４７は、「バランス」位置でベルトを用いる投手を示す。
【図４８】図４８は、「セパレーション」位置を示す。
【図４９】図４９は、「回転」段階へ移行する投手を示す。
【図５０】図５０は、投手が「フィニッシュ」位置にくると、身体は完全に伸長している。
【図５１】図５１は、リストストラップとフットストラップとを有する投手を示す「セットアップ」の側面図である。
【図５２】図５２は、「バランス」移行中、リストストラップとフットストラップの伸長を示す側面図である。
【図５３】図５３は、「セパレーション」段階中、「ボール」ハンド上のリストストラップは完全に張っており、足のかかとは持ち上がり、旋回する。
【図５４】図５４は、回転中のリストストラップとフットストラップである。
【図５５】図５５は、フィニッシュ位置でのフットストラップである。
【図５６】図５６は、守備において、ボールが打たれた後の準備位置を示す。
【図５７】図５７は、ボールを野手に返す準備を示す。
【図５８】図５８は、ボールをリリースする前の完全に張ったリストストラップを示す側面図である。
【図５９】図５９は、守備において、回転とボールのリリースを示す。
【図６０】図６０は、ボールリリース後の野手のフォロースルーを示す。
【図６１】図６１は、テニスボレーを向上させるベルトの使用である。準備位置を示す。
【図６２】図６２は、ラケットがボールを捕えスイングするときの接触位置を示す。
【図６３】図６３は、腕が伸長され、リストストラップが伸びていくフォロースルーを示す。
【図６４】図６４は、ラケットが肩の上にきて、リストストラップバンドは完全に張っているフィニッシュを示す。
【図６５】図６５は、バックハンドを向上させるベルトの使用を示す。セットアップ内で、リストストラップは張っている。
【図６６】図６６は、接触中、腕は伸長され、リストストラップは良好な手の経路を形成するため抵抗を与える。
【図６７】図６７は、フォロースルー中、ラケットがフィニッシュに制御されると、リストストラップは張りを与える。
【図６８】図６８は、サーブ−セットアップ；ボールハンドとラケットハンドのリストストラップは張っている。
【図６９】図６９は、完全な伸長状態で、ラケットリストストラップは張っている。
【図７０】図７０は、ボールを打った後、ラケットハンドは、フィニッシュへフォロースルーする。
【図７１】図７１は、ゴルフにおいて、セットアップは、クラブをボールの後ろにして、目を下に向け、リストストラップを弛めて開始する。
【図７２】図７２は、スイングの回転または旋回へと、クラブが後ろに持ち上げられると、リストストラップは完全に張っている。
【図７３】図７３は、クラブが前方に振られると、リストストラップの張りの弛みは、プレイヤのクラブの伸長を通じて良好な手の経路を作り出す。
【図７４】図７４は、手が持ち上がり肩の上にくると、再びスイングのフィニッシュは、リストストラップを完全に張る。
【図７５】図７５は、様々な寸法の弾性ひもを伸ばすのに必要な力を示すグラフである。
【発明を実施するための形態】
【００２０】
（ｉ）発明の詳細な説明
[ベルトの取り付け]
本発明の主たる構成要素は、ウエスト周りにぴったりフィットするベルト１である。このベルトは、個人のパフォーマンスを向上させるようデザインされ、運動を行う際、とりわけ個々の快適さのために選択された複数層の伸縮性織物２からできている。
【００２１】
図１Ａは、スポーツ訓練器具ベルト組立てを構成する様々な層のＸ線視である。この図は中型のベルトを示す。より小型のベルトアセンブリは、後述の上面２つおよび下面２つの４つの迅速解放コネクタのみを含む。さらに、小型のベルトは、小型の迅速解放バックルを有し、中型および大型のベルトに用いられる、大きなリストストラップとフットストラップは、小型のベルトには取り付けられない。大型のベルトアセンブリは、中型ベルトと同様であり、比例して大きい。このことは、使用者がより高い張力の機器を小型のベルトにうっかり取り付けて負傷してしまうのを防ぐ。
【００２２】
図１Ａに示されているように、伸縮性織物２にしっかり縫われたナイロンまたはポリプロピレンのひもを用いて、ベルトに取り付けられたいくつかのバックル３、４、５、６、７および８がある。さらに、ベルトの反対端に縫われた面ファスナまたは同等のタイプのループ材９、１０の部分がある。伸縮性材料１１、１２、１３、１４の数片は、ベルトの正面側に縫い付けられている。伸縮性材料の裏面には、面ファスナタイプのフック材１５、１６が縫い付けられている。
【００２３】
図１Ｂは、ベルトの裏面を例示する。裏面に含まれているものは、ポケット１７と；一方向にスムースに伸びる２片の材料１８、１９と面ファスナタイプのフック材２０の部分とである。このポケットは、３本の二重折りされたバイアステープ２１、２２、２３で仕上げられる。アセンブリ全体は、アセンブリに強度と仕上げとを提供する二重折りされたバイアステープ２４の周囲を有する。
【００２４】
図２は、ベルトの最初のアセンブリの等角図である。このベルトの製造は、ナイロンネット材２５のカーブのついた部分から始まる。材料は、少なくとも５０％の開口領域を有する「２方向に伸縮」するネット材である。これには、「面ファスナ」タイプのループ材２６、２７の２つのカーブのついた部分がナイロンネット材の底部に取り付けられている。同様に、「スパンデックス」タイプの「一方向に伸縮」するスムース材２８、２９の２つの部分がナイロンネット材の上部に取り付けられている。最後に、「面ファスナ」タイプのループ材３０のカーブのついた部分がスムース材の一端部の上部に取り付けられる。すべての部分は、材料をナイロンネット材の近くに配置すべく周辺ステッチやクロスステッチで強化される。
【００２５】
図３を見ると、予めカットされたナイロンまたはポリプロピレンひも３１、３２、３３、３４、３５、３６の６つの部分には、迅速解放バックル３７、３８、３９、４０、４１、４２の「雌」部分が設けられている。このひもは、ひも／バックルのインターフェイスに最大強度を提供するためにバックルを通り１インチ伸ばされ、クロスステッチされている。幅広のナイロンまたはポリプロピレンひも４３の追加部分が、ベルトの中心部の追加として設けられている。バックルアセンブリの各々は、「上」部のメインベルト構造４４に取り付けられており、ベルトアセンブリのアセンブリ図では間隔が空いている。バックルひもは、ひもの周囲に沿ってダブルステッチおよびクロスステッチされており、ひも／ベルト本体のインターフェイスに強度を付与している。
【００２６】
図４に例示されているように、弾性織物でできている伸縮性バンド４５、４６、４７のセットは、ベルトアセンブリの中央線に沿って少なくとも２つのステッチで、ベルト４８アセンブリの中央に縫い付けられている。「面ファスナ」タイプのフック材４９、５０のカット部分は、伸縮性材料の反対側の端部に取り付けられている。この「面ファスナ」タイプの材料は、「面ファスナ」／ステッチ材料のインターフェイスに強度を与えるために周囲のダブルステッチおよびクロスステッチで固定される。
【００２７】
図５では、グログランタイプのリボン５１、５２、５３、５４、５５、５６、５７または等価物が、バックルアセンブリの反対側のベルトアセンブリ５８に取り付けられている。このリボンは、２つの長辺側および一端部の周囲が縫い付けられている。ベルト寸法に引き込み制御できるようにカットされたナイロンまたはポリプロピレン補強材５８、５９、６０、６１、６２が、ベルトに取り付けられたリボンの開口端に挿入される。最後に、各リボンはシールされ、この補強材を包む。
【００２８】
図６において、ネット材でできたポケット６３が、伸縮性材料と反対のベルト側のアセンブリ６４に取り付けられている。ポケット材の周囲は、アセンブリの前にポケットを補強するために３つの側６５、６６、６７に二重折りされたバイアステープで縫い付けられている。このポケットは、軽度の背痛を軽減するためアイスバックまたは温湿布を設ける手段として用いられる。
【００２９】
最後に、図６に示されるように、二重折りされたバイアステープ６８は、ベルトアセンブリの端部をスムースにしたり、規定したりするとともに、ベルトアセンブリの端部に強度を加えるためにベルト６４の周囲に加えられる。このバイアス材は、ベルトの両側の縁部の上、およびバックルひもの伸長したバックル端部の下に配置される。このバイアステープは、ベルト周囲の縁部にダブルステッチされる。
【００３０】
図７は、特定の寸法（Ｘ）に関して示されているベルト６９の寸法を示す。この関連寸法は、ベルトアセンブリの対称を規定し、示す。
【００３１】
[リストストラップのアセンブリング]
図８に示されているように、適切な長さのグログランリボン材７０または等価物が、図示されるような取り去られた４隅７１、７２、７３、７４を含めたものになっている。リボン７０の端部は、図９の７５に示されているように折られている。
【００３２】
図１０に示されているように、面ファスナタイプのループ材７６の部分と、カットされ上に折り返されたリボン７７と、「面ファスナ」タイプのフック材７８の短い部分とがアセンブリのパラメータ周りにダブルステッチで共に縫い付けられている。さらなるステッチがフック材の内側端部を横切り加えられる。
【００３３】
図１１では、示されるように配置されたフック材８０を有するアセンブリ７９は、ストラップ７９をリングに挿入し、約１インチ８２上に折ることによって取り付けられた方形のリング８１を有する。「Ｄ］リング８３は、ストラップ７９の端、ストラップ７９の幅を過ぎて延出し、この「Ｄ」リングをストラップ７９の端をちょうど過ぎて突出できる寸法に調整される１本のナイロンまたはポリプロピレンひも８４にセンタリングされる。さらに、１本のリボン８５が形成され、これによりループ８６は、約３インチの長さと、ストラップ７９の反対側の端部をちょうど過ぎて突出する２つの端部を加えた長さを有する。ストラップ７９の折られた端部と、Ｄリング８４を有するひもの部分と、ループ材８６とは、インターフェイスに強度を加えるダブル周囲ステッチとクロスステッチで共に縫い付けられている。
【００３４】
図１２に示されているように、一本の伸縮性の「バンジー」コード８７は、前のステップで完成したアセンブリ８８の一部である「Ｄ」リング８３に取り付けられている。この伸縮性のコード８７は、「Ｄ」リング上に折られることにより取り付けられ、３つのクランプリング８９、９０、９１を用いて固定される。用いられるリングは、「ホグリング」または等価物であってもよい。「ホグリング」は、リングを十分にクランプする耐久ツールを用いて取り付けられ、ベルトアセンブリがアプリケーションに用いられる場合、伸縮性のひもが最大に張って伸長しても、適所に留まるよう適切な抵抗を提供する。リストストラップの「ストラップ」端部のアセンブリを完成するために、熱収縮チューブ９２の部分は、リングとバンジーコード上に配置され、リングが布に引っ掛かるのを防いだり、リングの端が使用者をひっかく恐れを無くしたりするためにリングを十分にカバーするよう寸法調整されたチューブを有するリストストラップアセンブリ８３に取り付けられた伸縮性材料を固定する。この熱収縮チューブは、バンジーコードアセンブリの閉じた端部上できちんとチューブを閉じるよう十分に加熱される。この完成したアセンブリは図１４に記載されている。
【００３５】
図１３では、適切に寸法調整されたひも９３の部分が、バンジーコード９４と反対側の端部に取り付けられており、上述のように、バンジーコードを折り、このバンジーコードをひもの折られた端部周りに巻き付け、図１２に記載されているように、３つのクランプリング９５、９６、９７を有するバンジーコードとひもを固定する。ここでもまた、熱収縮チューブ９８がバンジーコード／ひものインターフェイス上に配置され、チューブをきちんと収縮させるために加熱される。
【００３６】
最後に、図１４に示されているものは、伸縮性材料１００の長さが寸法調整された最終のリストストラップアセンブリ９９の描写であり、ストラップ１０１を調節すると、リストストラップアセンブリの長さ全体に適切な抵抗を提供する。図１５に詳細に記載されているように、迅速解放バックル１０２の雄の端部は、ナイロンまたはポリプロピレンひも１０３に取り付けられており、使用中、ひもがバックルの外に滑り出ないよう、図示されるコネクタを経由させている。
【００３７】
図１６と図１７は、手首１０５上でリストストラップ１０４を適切に閉じた状態を示す。このリストストラップは、ループ材１０６側を上にして手首の周りに巻かれ、リストストラップの反対側の端部に配置された方形リング１０７に通される。３インチのループ１０８は、フック材１１０がリストストラップの外側でループ材１１１に固定される際、親指１０９上に配置される。コネクタを有するバンジーコード１１２は、ベルト内の迅速解放コネクタの一つに配置され、本書では「どのように用いるか」は指示されていない。
【００３８】
[フットストラップのアセンブリング]
図１８に示されているように、フットストラップのアセンブリは、幅約１インチ半の１本のナイロンまたはポリプロピレンひも１１３で始まる。
【００３９】
図１８を見ると、ひもに対して、幅約１インチ半の３インチの「面ファスナ」タイプのループ材１１４と；「面ファスナ」タイプのフック材１１５とがベース材１１３に取り付けられる。金属の方形リング１１６は、方形リング１１６を通してベース材を配置し、約１インチ、ベース材上に折ることにより、ループ材１１４と反対側のベース材１１３の端部に取り付けられる。１本の１インチ幅の面ファスナタイプのフック材１１７は、方形リング１１６とフック材１１５の縫われた部分のおよそ中程で、ベース材１１３に縫い付けられる。このフック材は、ダブル周囲ステッチでベース材１１３の両側に縫い付けられる。
【００４０】
図１９に例示されているように、１本の１インチ半のひも１１８は、折られたベース材１１９上の上面に配置されて、この折られたベース材と追加された１本のひも１１８は共に縫い付けられる。この地点でのアセンブリは、インターフェイスに十分な強度を提供するためにダブル周囲ステッチとクロスステッチとで縫い付けられる。
【００４１】
図２０に示されているアセンブリ１２１のひも１２０の端部から３インチ計測することにより、材料の端部上に挿入されたＤリング１２３を有する１本の１インチ半のひも１２２が、ひも１２０に縫い付けられるべき１インチ半の重なりを残している。１本の面ファスナタイプのループ材１２４は、ひも１２２の反対側の端部に縫い付けられる。１本のひも１２２は、上述のようにひも１２０上に折られ、インターフェイスに最大強度を提供するためにダブルクロススティッチで縫い付けられる。
【００４２】
１本のひも１２０は、図２１に例示されているように２回の直角に折られ、１２５上に折られ、ベースインターフェイスへのひもに十分な強度を加えるために、インターフェイスの周りにダブルステッチとクロスステッチが用いられる。
【００４３】
図２２に見られるように、１本の伸縮性の「バンジー」コード１２６は、上述のリストストラップの作成で記載されたのと同じ工程を用いて取り付けられる。ホグリング１２７、１２８、１２９、１３０、１３１、１３２は、ホグリング１２７、１２８、１２９を固定する前にバンジーコードのループ１３４内に、Ｄリング１３３と共に折られたバンジーコード１２６に取り付けられる。熱収縮チューブ１３５は、ホグリングの上に提供され、ホグリング−バンジーコードアセンブリの周りに緊密に収縮される。同様に、バンジーコードの他方端部は折られ、ひも１３６がインターフェイスに提供され、ホグリング１３０、１３１、１３２がアセンブリ上に固定される。１本の熱収縮チューブ１３７は、ひも／バンジーコード／ホグリングの境界に設けられる。コネクタ１３８は、図１５に示されるようにひもに取り付けられる。
【００４４】
図２３は、フットストラップの最終アセンブリ１３９を示している。
【００４５】
図１８乃至２３の参照番号を用いて、図２４は、どのようにフットストラップがプレイヤの靴に設けられるかを示す。「Ｄリング」１３３は、下方へ向かい靴の下になるストラップ１３４を有する靴の背に設けられる。靴底では、フック材１２４がベースひも１１３上に縫い付けられた１インチのループ材１１７に連結され、および連結すべく折られる。方形リング１１６を有するストラップは、靴の上面に巻き付けられる。フック材１１４を有するストラップの端部は、こうして方形リングの端部を通り持ち上げられ、ループ材１１５上に折られ、取り付け準備がされる。
【００４６】
図２５は、靴の周りおよび上面に固定されるフットストラップを有する靴の側面図を示す。
【００４７】
[アクセサリ付訓練器具の使用法]
以下は、これまで「訓練器具」として認証されてきた一般的なパワースポーツ訓練器具をどのように正しく用いるかについての説明である。この訓練器具は、ウエスト周りにきちんとフィットさせる軽量ベルトである。訓練器具は、リストおよびフットストラップアクセサリを組み込んで正しく取り付けられると、野球の打撃、投球および守備の際、手の経路とボールのコントロールを大幅に向上させる。別のスポーツが、訓練器具の正しい使用により利益を得るが、これらのスポーツのみが本書に詳細に記載されるであろう。
【００４８】
[訓練機具の適切な閉塞]
図２６に示されているように、訓練器具（１４０）を閉じる際、使用者は訓練器具をきちんとフィットさせることが重要であるが、この訓練器具は、上にも下にも全く動かないよう締められなくてはならない。親指のルールの一つは、閉じた後に２本の指を訓練器具と身体との間に置き、訓練器具をひだになることなく指を上下に動かせることである。示されているように、訓練器具の最大寸法は、少なくとも点線１４１で示されるフック材の幅で、ループ材１４２に重ねられた線１４１で示されるように、訓練器具閉塞材を有することにより決定される。
【００４９】
同様に、訓練器具の最小寸法は、図２９に示されているように、フック材１４３とループ材１４４とを重ねることにより決定される。点線で示されたフック材は、バックルひも１４５の端部まで延在してもよい。各種ベルトの最大および最小寸法は、表１に記載されている。
〔表１〕
2010536480.tif 000003
【００５０】
[伸縮性材料の閉塞]
訓練器具閉塞具を正しく調節した後、伸縮性材料はフックアンドループ閉塞具上で閉じられる。図２８では、訓練器具１４６は最大寸法で閉じられている。伸縮性材料１４７、１４８の端部は、前のステップで作られた重なる閉塞上で閉じられる。伸縮性材料の各端部は、ベルトの正面のループ材の領域に強固に結合させるフック材（図示せず）の部分に取り付けられている。伸縮性材料の各部分は、訓練器具の裏面でアタッチメントから等距離で引かれ、できるだけ等しくループ材に固定される。
【００５１】
図２９に例示されているように、訓練器具が最小直径で閉じられた場合、ここでも伸縮性材料１４９、１５０の各部分は、訓練器具の裏面でアタッチメントから等距離で引かれ、訓練器具の中央となるようループ材に固定される。
【００５２】
[野球、ゴルフ、およびテニス用リストストラップおよびフットストラップの適切な取り付け、および使用]
図３０では、訓練器具１５１の図は、左利き打者、ドライバーを訓練するゴルファ、ボール返球のフォアハンドおよびバックハンドを訓練するテニスプレイヤのための最適な構成を示している。リストストラップ１５２、１５３は、示されるように、訓練器具閉塞具に最も近い２つの上部の迅速解放バックルコネクタに連結される。このフットストラップ１５４は、示されるように、下部の迅速解放コネクタに連結されている。左利き打者にとってフットストラップは、左手側の迅速解放バックルに連結されている。以下の図では、訓練器具に取り付けられている迅速解放バックルは、使用者から見たものである。
【００５３】
図３１では、訓練器具１５５の図は、右利き打者、ゴルファ、またはテニスプレイヤのための最適な構成を示している。リストストラップ１５６、１５７は、示されるように、訓練器具閉塞具に最も近い２つの上部の迅速解放バックルコネクタに連結される。このフットストラップ１５８は、示されるように、下部の迅速解放コネクタに連結される。右利き打者にとってフットストラップは、右手側の迅速解放バックルに連結されている。
【００５４】
図３２、３３では、野球用あるいはテニスプレイヤ用の投球訓練用の左右の構成が提供されている。訓練器具を左利き投手用に構成するために、２つのリストストラップが２つの外側上部の迅速解放コネクタ１５９、１６０に挿入され、１つのフットストラップ１６１がプレイヤの左手下方の迅速解放コネクタに連結される。
【００５５】
右利き投手用またはテニスプレイヤ用に訓練器具を構成するために、図３３に示すように、２つのリストストラップが２つの外側上部の迅速解放コネクタ１６２、１６３に挿入され、図３５に示されるように、１つのフットストラップ１６４がプレイヤの右手下方の迅速解放コネクタに連結される。
【００５６】
図３４と図３５では、野球の守備訓練用の左右の構成が示されている。左利き野手用の訓練器具１６５を構成するために、２つのリストストラップが左手外側上部の迅速解放コネクタ１６６と右手内側上部の迅速解放コネクタ１６７に挿入される。１つのフットストラップ１６８がプレイヤの左手下方の迅速解放コネクタに連結される。
【００５７】
右利き野手用の機械器具を構成するために、図３５に示されるように、２つのリストストラップが左手内側上部の迅速解放コネクタ１６９と右手外側上部の迅速解放コネクタ１７０に挿入される。一つのフットストラップ１７１は、プレイヤの右手下方の迅速解放コネクタに連結される。
【００５８】
各リストストラップは、１本の「バンジー」タイプの伸縮性材料に連結される。さらに、１本のひもがリストストラップから伸縮性材料の反対側の端部に取り付けられる。以下の表は、リストストラップアセンブリの様々なパラメータを記載している。リストストラップには２サイズあり、各々は機械器具を使用している人の技術とサイズによって最適に用いられる。安全のため、小型の機械器具に用いられる迅速解放バックルは、中型および大型の機械器具に用いられるものよりも小さい。このことは、小型の機械器具のリストストラップを、より大型の機械器具へ不用意に取り付けること、小型の機械器具の「初心者」の機械器具構成に過度のストレスを加えて怪我の原因となる状況を防ぐ。
【００５９】
[リストストラップとフットストラップの張りの調節]
表ＩＩは、機械器具を用いるプレイヤの能力に、リストストラップに用いられるひもを適切に寸法調整するのに用いられる。以下のセクションでは、この表の重要性と使用とが、さらに説明される。
【００６０】
表ＩＩＩは、機械器具を用いるプレイヤの能力に、レッグストラップに用いられるひもを適切に寸法調整するのに用いられる。以下のセクションでは、この表の重要性と使用とが、さらに説明される。
〔表ＩＩ−ＩＩＩ〕
2010536480.tif 000004
【００６１】
図７５のグラフは、リストストラップおよびフットストラップで、弾性部材として用いられる様々な寸法のバンジーコードを伸ばす力がどのくらいかという情報を提供する。上記表に記載された直径を有する弾性部材の記載は、図示されている同じ直径のバンドと同じ引張力を必要とすることを理解されたい。
【００６２】
[打撃]
上述のように、プレイヤはリストストラップをそれぞれの腕に取り付ける。図３７に例示するように、プレイヤはバットをこの位置で３０秒間保持すると、筋肉をけいれんさせるような緊張がない回転位置にバットを保持できるまで調節される。もしプレイヤの筋肉がけいれんし始めたら、迅速解放コネクタを通じて１乃至２インチひもを調節することによりリストストラップを長くする。本願の目的は、筋肉に過度の緊張を与えないで、最大引張力を提供することである。日に最大２０回反復するだけで、効果的なボールの打撃の最適なハンドスロットを向上させるための適切な筋肉の記憶が提供される。
【００６３】
図３６乃至４０は、野球やソフトボールをする場合、プレイヤのスイングとボールとの接触を向上させるために、どのようにベルトが機能するかを示している。このベルトはプレイヤの筋肉を訓練し、スイングの様々な要素を通じて最適なバットコントロールのための「記憶」を向上させるようデザインされている。ベルトはプレイヤのウエストにスイングアクションを参照させるので、正しいスイングを作るのに必要な協調は、ベルトの伸びから腕までの引張力の変化と、プレイヤに適切な筋肉の記憶を創造するための適切な時間とにより、プレイヤに大幅に向上したバットコントロールと関係を作り出すことができる。
【００６４】
スイングの重要要素を分析するとき、様々なスイング要素を作る５つの明確な動作と反応が確認できる。スイングは「ハンドスロット」（図３６）で始まり、これによりプレイヤは投手に身体を対峙させ、バット１７２を後側の肩１７３の上にしてコックする。この位置で、弾性ストラップ１７４、１７５は最大抵抗力まで引っ張られる。バンドがベルト１７７の内側の解放バックル１７６に取り付けられているので、個々のプレイヤに必要とされる引張力を作り出すのに最適な長さに調節される。プレイヤの両手は、正しいスイングの開始に最適な位置に配置される。投手がボールを放出するとき、プレイヤはスイングの「回転または回動」（図３７）段階を始める。この段階中、腕は前方および下方に向き始める。バンド１７８、１７９は引張力を失い始めるが、スイングが始まるにつれて、最大力を発揮する適切な配置に手を保持する。「接触」位置（図３８）では、ベルト１８０、１８１はすべての引張力を解放し、プレイヤは、手と目を協調によりバットをボールに合わせて、ボールとの接触に最大力を提供できる。
【００６５】
図３９に示されるように、接触後にバット１８２を適切に「伸長」すると、接触後のバットの適切なフォロースルーの向上を助けるためにストラップ１８３、１８４を再度伸ばし始める。最後に図４０では、ストラップ１８５、１８６は、身体を高く保つのを助ける「フォロースルー」中、最大引張力に戻る。身体を直立状態に高く保つこの補助は、正しいスイングの最高点とボールにかけられる最大力を提供する。打撃訓練中、ベルトを用いて一日１０乃至１５回繰り返すことにより、正しいパワースイングに関してプレイヤの筋肉の調整と記憶の向上を助ける。
【００６６】
図４１の「ハンドスロット」は、バットのスイングの初期の間、リードする足の位置を補助するために、どのようにフットストラップ１８７がリストストラップ１８８、１８９と共に用いられるかを示す。フットストラップと弾性ロープ１９０を追加して、スイングの様々な要素の間、ベルト１９２の下部バックル１９１のいずれかへフットストラップを連結させることにより、足の位置に関するフィードバックがプレイヤに提供される。
【００６７】
図４２を見ると、プレイヤがスイングのメカニズムを通じて「旋回」へと連続する際、プレイヤに膝を曲げることを気づかせるべくロープ１９３は足のかかとを引っぱり、こうしてバットにより大きな力を提供する。このポイントでは、プレイヤが適切な位置に維持されている限り、フットストラップの引張力は解放される。
【００６８】
図４３に示されているように、足が上げられ、膝が折られた正しい位置にある限り、フットストラップ１９４は弛んだままである。
【００６９】
図４４に示された「伸長」の間、足はまっすぐになり始め、フットストラップ１９５はピンと張り始める。スイングが、図４５に示されるような「フィニッシュ」位置まで続くと、身体は回転し、フットストラップ１９６をピンと張る。
【００７０】
[投球]
訓練器具は投手にトレーニングを提供し、これは筋肉の記憶と良好な手の経路の向上を助ける。図４６に示されているように、リストストラップ１９７、１９８は、投手の「セットアップ」位置では弛んでいる。投球訓練のため、特にリストストラップは外側正面の迅速解放コネクタ１９９、２００に取り付けられる。
【００７１】
プレイヤが「バランス」位置に移ると、リストストラップ２０１は腕の内側となり、図４７に示されているようにピンと張り始める。
【００７２】
ワインドアップまたは「セパレーション」段階中、「ボール」側の手のリストストラップは完全に張った状態に移向する。グローブ側の手のリストストラップ２０２は、図４８に示されているように弛んだままである。この段階中、グローブ側の手はスローイングする腕を最大抵抗に導く。
【００７３】
図４９において、セパレーション段階から「回転」段階へ移行すると、リストストラップ２０４が一定かつ最大引張力のまま、投球する腕２０３が前方に回転する。これは、グローブ側の手のリストストラップ２０５が弛んだ状態で、かつ投球する腕のリストストラップ２０６が完全に張った状態で継続する。投球する手のリストストラップの張りを不変とすると、プレイヤがボールを持ち、リリースし、ついにはフィニッシュする際の安定した手の経路の向上を助ける。
【００７４】
図５１乃至５５は、投球の５つの基本位置の側面図であり、リストストラップのメカニズムと、各位置へのフットストラップの組み込みに関する異なる斜視図である。図５１に示されているようなセットアップ中、投手の足２０７はボールの手の側にあり、ゴム２０８に対ししっかり配置されている。リストストラップ２０９は、投手の身体に近くのハンドで弛んでいる。
【００７５】
図５２では、投手はプレートに向かって回転し、グローブ側の手２１０を打者の方へ伸ばし、ボール側の手２１１を後ろに上げて、肘２１２を地面に対して垂直に保ち、ストラップ２１３と２１４とが引っ張られている。フットストラップ２１５もまた、投手が身体を回転させるにつれて張る。このストラップは張りが増すと、手が遠くに伸び過ぎるのを防ぐだけでなく、抵抗を通じて筋緊張を発達させるのを助ける。このことは、プレイヤのワインドアップと投球の調和の向上を助ける。
【００７６】
図５３に示されているように、プレイヤのボール側の足２１６は、ゴム２１７の上にきたり離れたりし、プレイヤがセパレーションの段階を開始すると前方に回転する。ここではボール側の手のストラップ２１８は張っており、ボールが前方に移動する際の弧と「回転」への制御を補助する。
【００７７】
図５４を見ると、回転中、投手の身体は前方に伸び、投手がボールをリリースする際、フットストラップ２１９とボール側の手２２０のリストストラップとが張る。
【００７８】
ボールをリリースした後、投手はフィニッシュ位置にフォロースルーし、フットストラップ２２１をピンと張り、ボールがあった手側の足をプレートに並べる。
【００７９】
[守備]
野球とソフトボールの守備ではプレイヤが移行する５つの基本位置があり、最初にプレイヤが打球に反応し、ボールを取り、ボールを内野手に返し、これはアウトとしてベースへのものか、ボールをプレーに入れることにより走塁を止めるかがあり、これにより進塁するプレイヤはベースにいなければならない。訓練器具は、野手の守備で調和の向上、および筋緊張や筋肉の記憶の向上を助ける。
【００８０】
図５６に示されているように、ボールが打たれた後、一般的に野手は図５６に示すように「セットアップ」位置をとる。この位置では、一般的に手は下に伸びてリストストラップ２２２は完全に張る。グローブ２２３は地面に下げられ、ホームプレートに面し、ボールが野手に向かって動くと捕球できるよう準備される。グローブのない手２２４は、グローブの上の正面に置かれ、ボールが野手のグローブに入ると捕球できるよう準備される。グローブのない手のストラップもまた張っており、プレイヤの手を下方外側へと伸ばす。
【００８１】
図５７に示されるように、グローブハンドのリストストラップ２２５は、ベルトの最も外側の迅速接続コネクタ２２６に連結されている。この位置では、野手はフライボールの守備の「セットアップ」状態である。
【００８２】
図５８では、プレイヤは「回動位置」にあり、腕はボールを内野に返球する配置となっている。この位置では、プレイヤはグローブをもつ手２２７をプレイヤがボールを届けたい領域の線上で動かし、ボールをリリースする際、ボールの後方に最大力を与えるために投球ハンド２２８を後ろに十分に伸ばす。この位置では、リストストラップ２２９、２３０は最も張っている。
【００８３】
プレイヤが投球アーム２３１を前方に動かすと、「ボール」側の手２３２のリストストラップは、ボールに伝わる力を最大にする弧の向上を助ける。抵抗は、投球する手の強度を増加させるとともに、良好な手の経路の開発によりプレイヤを助ける役割を果たす。
【００８４】
図６０で示されている「フィニッシュ」位置では、投球する手は、ボールのリリース後に弧を完了させる。この位置では、投球する手のリストストラップ２３３は、張りを継続して手の経路を完了させる。このフォロースルーは投球の正確性を向上させる。
【００８５】
[テニス]
テニスは、スイングとボールへの良好な手の経路における一貫性と、スイングに影響する筋肉の増強における向上を含むので、訓練器具は、野球と同様テニスの試合でもそれらを大幅に向上させることができる。我々の経験は、この訓練器具を用いて組織だった訓練を一日に数回繰り返すのみでゲームを大幅に向上させる。テニスのパフォーマンスを向上させるのに用いられた訓練器具での我々の経験は、フォアハンドスイング、バックハンドスイングおよびサーブを向上させる。
【００８６】
[フォアハンド]
テニスに関して、フォアハンドの向上に関連する４つの基本位置がある。図６１では、プレイヤは「セットアップ」から開始する。この場合、ラケットハンドはプレイヤの上、背後にある。この位置では、ラケットハンドのリストストラップ２３４は張っている。抵抗は、プレイヤが筋肉のひきつけやけいれんを起こすことなく、少なくとも３０秒間、この位置を保つことができるようセットされる。筋肉のひきつけが起こる場合、プレイヤは訓練器具にかかる緊張を低減するために、このリストストラップを１インチ乃至１インチ半長くする。過度に運動器具を緊張させ続けることは、訓練器具を用いた訓練の利益を低減させてしまう。リストストラップは、訓練器具の前部の迅速解放コネクタ２３５に連結されている。
【００８７】
プレイヤがラケットハンド２３６を「旋回」位置に動かすと、リストストラップ２３７、２３８は弛んだ状態となる。プレイヤがスイングを続けると、ラケットはボールと接触後に上、前方にくる。訓練器具は、スイングで筋肉の記憶と一貫性を作り出し、手の経路を制御する。
【００８８】
図６３は、ラケット２３９が「接触」するまでの位置を示し、これによりボールとの接触が起こる。ラケット上の固いグリップ２４０を用いて、訓練器具はボールが戻る経路にラケットが垂直な良好な手の経路を作る。この場合、訓練器具の張りは、プレイヤがフィニッシュに移動するにつれて高められる。
【００８９】
図６４では、ラケットは両手を使ってフィニッシュ位置となる。リストストラップ２４１、２４２は、ラケットが最終位置にくると張りを得る。
【００９０】
[バックハンド]
図６５乃至６７に示されているように、リストストラップはバックスイングを通じてずっと張っている。これは、ラケットを用いて弧を作り出し、良好な手の経路と筋肉の記憶の発達を助け、非常に効果的かつ安定したスイングをもたらす。
【００９１】
図６５では、リードする手２４３は、ラケットを地面に垂直に保った状態でラケット２４４をしっかりと握っている。このリードする手のリストストラップ引張ひも２４５は張っており、迅速解放バックル２４６がバックハンドスイングのための旋回ポイントを形成する。
【００９２】
図６６に示されているように、ラケットは前方に動く。このラケット２４７は、地面に垂直なままである。この訓練器具はラケットの制御を維持し、スイングにおける安定性の向上を助ける。
【００９３】
「フィニッシュ」では、リストストラップ引張ひも２４８は十分な強度を保ち、ラケットの安定したフォロースルーを向上させる。
【００９４】
[サーブ]
テニスのサーブの訓練は、上述の別の訓練方法で示されたような「セットアップ」位置から始まる。図６８では、サーブはラケットを持つ手を上方に離して始められる。ラケットを持つ手のリストストラップは完全に張っている。ボールを持つ手２４９は、プレイヤの正面で上方および外方にあり、リストストラップ２５０は完全に張っている。ボール側の手とラケット側の手用のリストストラップは、ベルトの正面で、最も内側の迅速解放コネクタに配置されている。
【００９５】
図６９に示されているように、ボールがサーブされ、ラケットが差し出され、ラケットを持つ手のリストストラップ２５１の訓練器具の張りが最大となる。ボールを見て、ラケットを持つ手が弧を描くように動かし、訓練器具の張りを一定に維持する。
【００９６】
図７０のフィニッシュでは、訓練器具のリストストラップ２５２は弛んでいる。この訓練器具は良好な手の経路の向上を助け、プレイヤが訓練器具を外して訓練する際、スイングにおける安定性を向上させる筋肉の記憶の発達を助ける。
【００９７】
[ゴルフ]
ゴルフスイングの向上のために訓練器具を用いることは、上述の打球セクションで記載された技術とよく似ている。何年もの間、野球またはゴルフの訓練装置は、互換性があることが証明されている。
【００９８】
図７１に示されるように、ゴルフ用の訓練器具のセットにおいて、リストストラップ２５３は、ベルトの正面で最も内側の迅速解放コネクタ２５４に連結される。リストストラップは両手にあるが、本図では左手側のリストストラップと各コネクタのみが図示されている。セット時、リストストラップ２５５は弛んでいる。
【００９９】
図７２に示されているように、ゴルファがクラブ２５６を旋回位置までふりかぶると、リストストラップは完全に張る。
【０１００】
図７３に例示されるように、訓練器具のストラップ２５７、２５８を完全に張った状態で、ゴルファはクラブを接触位置を通してスイングさせる。
【０１０１】
図７４に示されているように、ゴルファがスイングを完了すると、ストラップ２５９、２６０は完全に張ったままとなる。ストラップのこの張りは、スイングの弧にわたり制御し続け、スイングを通して良好な手の経路を提供する。この結果、ベルトの使用により、良好な手の経路を向上させ、ボールをスライスしたり、引っかけたりする傾向を減少させるとともに、ボールの長打のための筋緊張を増加させたりもする。
【０１０２】
本発明の同じ目的を達成しながらも、上述の実施例の多くの別のバリエーションがあってもよいことが当業者に理解されるであろう。この様なバリエーションは、本発明の範囲に含まれることを意味する。このように、発明の実施例の前述の記載は限定ではない。したがって、添付のクレームは、発明の真の精神と範囲内に入る発明のすべての変更を含むであろう。
【図１】
2010536480.tif 000005
【図２】
2010536480.tif 000006
【図３】
2010536480.tif 000007
【図４】
2010536480.tif 000008
【図５】
2010536480.tif 000009
【図６】
2010536480.tif 000010
【図７】
2010536480.tif 000011
【図８】
2010536480.tif 000012
【図９】
2010536480.tif 000013
【図１０】
2010536480.tif 000014
【図１１】
2010536480.tif 000015
【図１２】
2010536480.tif 000016
【図１３】
2010536480.tif 000017
【図１４】
2010536480.tif 000018
【図１５】
2010536480.tif 000019
【図１６】
2010536480.tif 000020
【図１７】
2010536480.tif 000021
【図１８】
2010536480.tif 000022
【図１９】
2010536480.tif 000023
【図２０】
2010536480.tif 000024
【図２１】
2010536480.tif 000025
【図２２】
2010536480.tif 000026
【図２３】
2010536480.tif 000027
【図２４】
2010536480.tif 000028
【図２５】
2010536480.tif 000029
【図２６】
2010536480.tif 000030
【図２７】
2010536480.tif 000031
【図２８】
2010536480.tif 000032
【図２９】
2010536480.tif 000033
【図３０】
2010536480.tif 000034
【図３１】
2010536480.tif 000035
【図３２】
2010536480.tif 000036
【図３３】
2010536480.tif 000037
【図３４】
2010536480.tif 000038
【図３５】
2010536480.tif 000039
【図３６】
2010536480.tif 000040
【図３７】
2010536480.tif 000041
【図３８】
2010536480.tif 000042
【図３９】
2010536480.tif 000043
【図４０】
2010536480.tif 000044
【図４１】
2010536480.tif 000045
【図４２】
2010536480.tif 000046
【図４３】
2010536480.tif 000047
【図４４】
2010536480.tif 000048
【図４５】
2010536480.tif 000049
【図４６】
2010536480.tif 000050
【図４７】
2010536480.tif 000051
【図４８】
2010536480.tif 000052
【図４９】
2010536480.tif 000053
【図５０】
2010536480.tif 000054
【図５１】
2010536480.tif 000055
【図５２】
2010536480.tif 000056
【図５３】
2010536480.tif 000057
【図５４】
2010536480.tif 000058
【図５５】
2010536480.tif 000059
【図５６】
2010536480.tif 000060
【図５７】
2010536480.tif 000061
【図５８】
2010536480.tif 000062
【図５９】
2010536480.tif 000063
【図６０】
2010536480.tif 000064
【図６１】
2010536480.tif 000065
【図６２】
2010536480.tif 000066
【図６３】
2010536480.tif 000067
【図６４】
2010536480.tif 000068
【図６５】
2010536480.tif 000069
【図６６】
2010536480.tif 000070
【図６７】
2010536480.tif 000071
【図６８】
2010536480.tif 000072
【図６９】
2010536480.tif 000073
【図７０】
2010536480.tif 000074
【図７１】
2010536480.tif 000075
【図７２】
2010536480.tif 000076
【図７３】
2010536480.tif 000077
【図７４】
2010536480.tif 000078
【図７５】
2010536480.tif 000079
【国際調査報告】
2010536480.tif 000080